(57)【特許請求の範囲】
【請求項１】
セルラ通信ネットワークのネットワークノード（１２０、２００）での方法であって、
前記セルラ通信ネットワークの前記ネットワークノード及び少なくとも１つの他のネットワークノードは、それぞれ、信号ビームフォーミング法の複数のビームをサポートし、前記複数のビームの少なくとも１つをサービングビームとして使用することで無線通信デバイス（２４０）と通信する様に構成され、
前記方法は、
前記複数のビームの非サービングビームから１つ以上の候補ビーム（１１１、１１２）を特定すること（３２０、２０４）と、
前記ネットワークノードによりサポートされている前記候補ビームのそれぞれで基準信号を送信することと、
前記他のネットワークノードに、前記他のネットワークノードによりサポートされている前記候補ビームのそれぞれで基準信号（２３１、２３２）を送信させること（３３０）と、
前記１つ以上の候補ビームの少なくとも１つの候補ビームの上りリンクリソースを予約すること（３４０）であって、前記上りリンクリソースは、前記無線通信デバイスからの報告（２３５）を伝達するために使用され、前記報告は、前記基準信号の測定結果を示す、前記予約することと、
前記伝達された報告に基づき前記１つ以上の候補ビームからターゲットビームを選択することと、
前記ターゲットビームが前記他のネットワークノードによりサポートされている場合、当該他のネットワークノードに前記ターゲットビームを使用して前記無線通信デバイスと通信させ（３７０、２１０）、前記ターゲットビームが前記ネットワークノードによりサポートされている場合、前記ターゲットビームを使用して前記無線通信デバイスと通信することと、
を含む、方法。
【請求項２】
請求項１に記載の方法であって、
信号品質の減少を検出すること（３１０）をさらに含み、前記予約することは、前記減少した信号品質を検出することに応答して実行される、方法。
【請求項３】
請求項１又は２に記載の方法であって、
前記予約することは、モビリティ手順の失敗を検出すること（３１０）に応答して実行される、方法。
【請求項４】
請求項１から３のいずれか１項に記載の方法であって、
前記上りリンクリソースの予約に関する表示を前記無線通信デバイスに送信すること、或いは、前記他のネットワークノードに前記上りリンクリソースの予約に関する表示を前記無線通信デバイスに向けて送信させること（３５０）をさらに含む、方法。
【請求項５】
請求項１から４のいずれか１項に記載の方法であって、
前記ターゲットビームを選択することは、前記１つ以上の候補ビームから、前記予約された上りリンクリソースにおいて前記報告が伝達された１つの候補ビームを選択することを含む、方法。
【請求項６】
請求項１から５のいずれか１項に記載の方法であって、
前記他のネットワークノードに前記基準信号を送信させることは、前記他のネットワークノードに基準信号要求を送信することを含み、
前記上りリンクリソースを予約することは、前記他のネットワークノードに上りリンクリソース要求を送信することを含む、方法。
【請求項７】
請求項１から６のいずれか１項に記載の方法であって、
前記他のネットワークノードに前記ターゲットビームを使用して前記無線通信デバイスと通信させることは、前記他のネットワークノードに前記無線通信デバイスに向けてビーム切替コマンドを送信させることを含む、方法。
【請求項８】
セルラ通信ネットワークの無線通信デバイス（２４０）での方法であって、
前記セルラ通信ネットワークの複数のネットワークノードは、それぞれ、信号ビームフォーミング法の複数のビームをサポートし、前記複数のビームの少なくとも１つをサービングビームとして使用することで前記無線通信デバイスと通信する様に構成され、
前記方法は、
１つ以上の特定された候補ビーム（１１１、１１２）のそれぞれで受信される基準信号（２３１、２３２）の測定（２０６）を実行することであって、前記１つ以上の特定された候補ビームの少なくとも１つの候補ビームは、前記無線通信デバイスからの報告を伝達するために予約された上りリンクリソースを有し、前記１つ以上の特定された候補ビームは非サービングビームである、前記測定を実行することと、
前記予約された上りリンクリソースの１つで前記報告（２３５）を送信することであって、前記報告は、前記測定の結果を示し、前記報告は、前記候補ビームの１つのターゲットビームとしての選択のためであり、前記ターゲットビームは、前記セルラ通信ネットワークの前記ターゲットビームをサポートしているネットワークノードとの通信での使用のためである、前記報告を送信することと、
を含む、方法。
【請求項９】
請求項８に記載の方法であって、
上りリンクリソースの前記予約に関する表示を前記セルラ通信ネットワークの前記複数のネットワークノードの少なくとも１つから受信することをさらに含む、方法。
【請求項１０】
請求項８又は９に記載の方法であって、
前記報告は、前記ターゲットビームとして選択された候補ビームの前記予約された上りリンクリソースで送信される、方法。
【請求項１１】
セルラ通信ネットワークのネットワークノードのための装置であって、
前記セルラ通信ネットワークの前記ネットワークノード及び少なくとも１つの他のネットワークノードは、それぞれ、信号ビームフォーミング法の複数のビームをサポートし、前記複数のビームの少なくとも１つをサービングビームとして使用することで無線通信デバイスと通信する様に構成され、
前記装置は、コントローラ（４００、５００）を含み、
前記コントローラは、
前記複数のビームの非サービングビームから１つ以上の候補ビームを特定し、
前記ネットワークノードによりサポートされている前記候補ビームのそれぞれで基準信号を送信し、
前記他のネットワークノードに、前記他のネットワークノードによりサポートされている前記候補ビームのそれぞれで基準信号を送信させ、
前記１つ以上の候補ビームの少なくとも１つの候補ビームの上りリンクリソースであって、前記上りリンクリソースは、前記無線通信デバイスからの報告を伝達するために使用され、前記報告は、前記基準信号の測定結果を示す、前記上りリンクリソースを予約し、
前記伝達された報告に基づき前記１つ以上の候補ビームからターゲットビームを選択し、
前記ターゲットビームが前記他のネットワークノードによりサポートされている場合、当該他のネットワークノードに前記ターゲットビームを使用して前記無線通信デバイスと通信させ、前記ターゲットビームが前記ネットワークノードによりサポートされている場合、前記ターゲットビームを使用して前記無線通信デバイスと通信する様に構成される、装置。
【請求項１２】
請求項１１に記載の装置であって、
前記コントローラは、信号品質の減少を検出する様にさらに構成され、前記予約することは、前記減少した信号品質を検出することに応答して実行される、装置。
【請求項１３】
請求項１１又は１２に記載の装置であって、
前記予約することは、モビリティ手順の失敗を前記コントローラが検出することに応答して実行される、装置。
【請求項１４】
請求項１１から１３のいずれか１項に記載の装置であって、
前記コントローラは、前記ネットワークノード及び前記他のネットワークノードに上りリンクリソースの前記予約に関する表示の前記無線通信デバイスへの送信を行わせる様にさらに構成される、装置。
【請求項１５】
請求項１１から１４のいずれか１項に記載の装置であって、
前記ターゲットビームを選択することは、前記１つ以上の候補ビームから、前記予約された上りリンクリソースで前記報告が伝達された１つの候補ビームを選択することを含む、装置。
【請求項１６】
請求項１１から１５のいずれか１項に記載の装置であって、
前記コントローラは、
前記他のネットワークノードに前記基準信号を送信させるために、前記ネットワークノードに前記他のネットワークノードに向けて基準信号要求を送信させ、
前記他のネットワークノードに前記候補ビームの前記上りリンクリソースを予約させるために、前記ネットワークノードに前記他のネットワークノードに向けて上りリンクリソース要求を送信させる様に構成される、装置。
【請求項１７】
請求項１１から１６のいずれか１項に記載の装置であって、
前記コントローラは、前記他のネットワークノードに前記ターゲットビームを使用して前記無線通信デバイスと通信させるために、前記無線通信デバイスに向けてビーム切替コマンドを前記他のネットワークノードに送信させる様に構成される、装置。
【請求項１８】
請求項１７に記載の装置であって、
前記コントローラは、
前記無線通信デバイスに向けて前記ビーム切替コマンドを前記他のネットワークノードに送信させるために、前記ターゲットビームをサポートする前記他のネットワークノードへの前記無線通信デバイスのハンドオーバを行わせる様に構成される、装置。
【請求項１９】
請求項１８に記載の装置であって、
前記ターゲットビームをサポートする前記他のネットワークノードへの前記無線通信デバイスのハンドオーバを行わせるために、前記コントローラは、前記ターゲットビームをサポートする前記他のネットワークノードに、前記無線通信デバイスに向けてハンドオーバコマンドを送信させる様に構成される、装置。
【請求項２０】
請求項１１から１９のいずれか１項に記載の装置を含む、セルラ通信ネットワークのネットワークノード。
【請求項２１】
セルラ通信ネットワークの無線通信デバイスのための装置であって、
前記セルラ通信ネットワークの複数のネットワークノードは、それぞれ、信号ビームフォーミング法の複数のビームをサポートし、前記複数のビームの少なくとも１つをサービングビームとして使用することで前記無線通信デバイスと通信する様に構成され、
前記装置は、コントローラ（４００）を含み、
前記コントローラは、
１つ以上の特定された候補ビームであって、前記１つ以上の特定された候補ビームの少なくとも１つの候補ビームは、前記無線通信デバイスからの報告を伝達するために予約された上りリンクリソースを有し、前記１つ以上の特定された候補ビームは非サービングビームである、前記１つ以上の特定された候補ビームのそれぞれで受信される基準信号の測定を前記無線通信デバイスに実行させ、
前記予約された上りリンクリソースの１つで前記無線通信デバイスに前記報告を送信させることであって、前記報告は、前記測定の結果を示し、前記報告は、前記候補ビームの１つのターゲットビームとしての選択のためであり、前記ターゲットビームは、前記セルラ通信ネットワークの前記ターゲットビームをサポートするネットワークノードとの通信での使用のためである、前記送信させる様に構成される、装置。
【請求項２２】
請求項２１に記載の装置であって、
前記コントローラは、前記複数のネットワークノードの少なくとも１つからの上りリンクリソースの前記予約に関する表示を前記無線通信デバイスに受信させる様にさらに構成される、装置。
【請求項２３】
請求項２１又は２２に記載の装置であって、
前記コントローラは、前記ターゲットビームとして選択される候補ビームの前記予約された上りリンクリソースで前記無線通信デバイスに前記報告を送信させる様に構成される、装置。
【請求項２４】
請求項２１から２３のいずれか１項に記載の装置であって、
前記コントローラは、前記ターゲットビームをサポートしている前記ネットワークノードからのビーム切替コマンドを前記無線通信デバイスに受信させる様にさらに構成される、装置。
【請求項２５】
請求項２４に記載の装置であって、
前記ビーム切替コマンドは、ハンドオーバコマンドを含む、装置。
【請求項２６】
請求項２１から２５のいずれか１項に記載の装置を含む、無線通信デバイス。
【発明の詳細な説明】
【技術分野】
【０００１】
本発明は、一般的に、無線通信システムのモビリティの分野に関する。より詳しくは、信号ビームフォーミングを適用するシステムにおけるモビリティに関する。
【背景技術】
【０００２】
典型的なセルラ通信システムにおいて、ハンドオーバ機能を可能することが重要である。ハンドオーバは、（移動）無線通信デバイスとセルラ通信システムを提供するネットワークとの間の現在進行しているコネクションを、あるネットワークノード（サービングセルを提供するサービングネットワークノード）から他のネットワークノード（ターゲットセルを提供するターゲットネットワークノード）に移す制御プロセスである。ハンドオーバは、典型的には、単一ネットワークノードのカバレッジ領域を超えた地理的範囲に渡り、無線通信デバイスのために透過的なサービスを達成するために設けられる。好ましくは、ハンドオーバは、現在進行しているコネクションの通信の中断なく（或いは、最小の中断で）、かつ、データ損失なし（或いは、最小の損失で）に実行されるべきである。
【０００３】
ハンドオーバ機能の実現は、典型的には、適切なターゲットセルを発見することと、発見した適切なターゲットセルと、持続的で信頼できる通信を可能にすることを確実に（又は、可能に）することを含む。
【０００４】
適切なターゲットセルの発見のための候補セル（候補ネットワークノードにより提供）は、典型的には、隣接リストに格納され、隣接リストは、サービングネットワークノード又はセルラ通信システムを提供するネットワークの何処か（又は、当該ネットワークに関連する何処か）に適切に格納され得る。
【０００５】
候補セルのいずかと持続的で信頼できる通信が可能であるかを評価するため、ハンドオーバを実行するとの決定前に、無線通信デバイスと候補セルとの間の可能なコネクションの品質が、典型的には、評価される。その様な推定は、典型的には、無線通信デバイスにより実行される、候補セルが送信する基準信号の下りリンク測定に基づき行われ、サービングネットワークノードに報告される。
【０００６】
多くの典型的なセルラ通信システムにおいて、各ネットワークノードは、連続的に基準信号（例えば、パイロット信号）を送信し、隣接セルの無線通信デバイスは、当該ネットワークノードとの可能なコネクションの品質を推定するために基準信号を使用し得る。その様な基準信号の例は、ＧＳＭ（Ｇｌｏｂａｌ  Ｓｙｓｔｅｍ  ｆｏｒ  Ｍｏｂｉｌｅ  ｃｏｍｍｕｎｉｃａｔｉｏｎ）のＢＣＣＨ（ブロードキャスト制御チャネル）、ＵＭＴＳ（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）のＣＰＩＣＨ（共通パイロットチャネル）、ＵＭＴＳ−ＬＴＥ（ＵＭＴＳロングタームエボリューション）のＣＲＳ（セル固有基準信号）及びＩＥＥＥ（米国電気電子学会 ）８０２．１１規格のビーコン信号である。
【０００７】
多くの新たなセルラ通信システムは、ビームフォーミングと呼ばれる、サービングネットワークノードから無線通信デバイスに向けた狭いビームでの通信を可能にする、進歩的なアンテナシステムを使用し得る。ビームフォーミングは、ビームの方向において高い信号強度を可能にする一方、他の方向における干渉を低く保つために使用され得る。ビームフォーミングの他の利点は、ネットワークノードのカバレッジ領域を拡大できることである。
【０００８】
ビームフォーミングを使用するシステムにおいて、典型的には、ビーム切替機能が必要であり、典型的には、同じネットワークノードによりサポートされるビーム間の切替と、異なるネットワークノードによりサポートされるビーム間の切替（つまり、ハンドオーバ）とを含む。確立されたハンドオーバの用語と同様に、ビーム切替前のビームは、サービングビームと呼ばれ、ビーム切替後に使用されるビームは、ターゲットビームと呼ばれる。
【０００９】
本開示を通し、用語ビームスイッチは、サービングビームとターゲットビームが同じネットワークノードによりサポートされる場合（つまり、ビーム切替がネットワークノード間のハンドオーバを含まず、ノード内でのビーム切替）と、サービングビームとターゲットビームが異なるネットワークノードによりサポートされる場合（つまり、ビーム切替がネットワークノード間のハンドオーバを含み、ノード間でのビーム切替）との両方をカバーするものとして使用される。
【００１０】
ビーム切替決定のための測定を可能にする、総てのビームにおける連続的な基準信号の送信は、ビームフォーミングシステムが、多数の狭いビームを有するときには、特に効果的ではなくなる。その理由の１つは、幾つかの典型的なシナリオにおいて、ネットワークノードによりサポートされる少し（又は、０）ビームのみがアクティブであり（例えば、無線通信デバイスとのコネクションに使用される）、ビームの残りでの基準信号の送信は、電力を消費し、干渉を与えるのみであり、追加のハードウェアリソースを必要とする。
【００１１】
別のアプローチは、ビーム切替（ハンドオーバと共に、或いは、ハンドオーバ無しに）が必要とされる可能性があるときのみ、基準信号を送信する候補ビームのサブセットのみを持たせることである。その様な基準信号は、モビリティ基準信号（ＭＲＳ)と呼ばれ、例えば、ＵＭＴＳ−ＬＴＥで定義される二次同期信号（ＳＳＳ）又は他の適切な信号構造と同様な物理構造を有し得る。
【００１２】
ビーム切替が必要とされる可能性を判定するため、サービングネットワークノードは、上りリンク測定（典型的には、相互依存に関する何らかの想定を行う）、及び／又は、コネクションに関する無線通信デバイスからのチャネル品質報告を使用し得る。ビーム切替が必要とされる可能性があることをサービングノードが判定すると、サービングノードは、モビリティ手順をトリガし、そこでは、候補ビームが基準信号を送信し、無線通信デバイスは、ビーム切替決定のために基準信号の測定を実行し、サービングネットワークノードに報告できる。サービングネットワークノードは、無線通信デバイスにタイミング（例えば、開始及び／又は終了）について、及び／又は、モビリティ手順のトリガに関連付けられた基準信号のコンテンツ（例えば、信号シーケンス）を通知し得る。
【００１３】
どのビームを候補ビームとして使用するかは、例えば、データベース（例えば、モビリティルックアップテーブル（ＬｕＴ））のコンテンツに基づき得る。その様なデータベースは、（隣接セルリストと同様）各サービングビーム及び／又は無線通信デバイスの各地理的位置についての、候補ビームに関する情報を有し得る。データベースは、任意の適切な方法で形成され、及び／又は、更新され得る。例えば、それは、システム設定パラメータに基づき、及び／又は、以前のビーム切替、及び／又は、測定に関する統計値に基づき得る。サービングビームのための候補ビームは、例えば、サービングビームから／サービングビームへのビーム切替後及び／又は前に使用されていたビーム、サービングビームの強い基準信号測定値に関連付けられたビーム、及び／又は、サービングビームに隣接し、サービングネットワークノードによりサポートされたビームを含み得る。地理的位置のための候補ビームは、例えば、地理的位置において強い基準信号測定値に関連付けられたビーム、及び／又は、サービングビームに関する情報の任意の組み合わせを含み得る。データベースは、追加的に、各サービングビーム及び／又は地理的位置についての以前の測定値に基づく、候補ビームの幾つかの基準信号（例えば、最も強い）の（平均）信号レベルを含み得る。
【発明の概要】
【発明が解決しようとする課題】
【００１４】
ビームフォーミングシステムの1つの問題（特に、狭いビームを使用するシステム）は、幾つかの場合、信号電力（及び、典型的には、信号対干渉比）が、非常に短い時間スパンの間に、非常に劣化し得ることである。時間スパンはとても短いので、ビーム切替が必要とされる可能性を判定し、モビリティ手順をトリガし、ビーム切替を完了させるのに十分な時間がないことである。この様に、無線通信デバイスとネットワークとのコネクションは、失われ得る（例えば、同期はずれ、及び、それに続く無線リンク断により）。
【００１５】
図１は、信号強度の突然落ち込みが生じ、必要とされるビーム切替の準備をし、実行するのに十分な時間がない例示的なシナリオを示している。
【００１６】
図１において、無線通信デバイスは、位置１００ａにいるとき、ビーム１１０を介して、ネットワークノード１２０と、進行中のコネクションを有している。無線通信デバイスが、建物１３０のコーナー付近に移動すると、建物１３０による影により、新たな位置１００ｂにおいて、ビーム１１０の信号は、無線通信デバイスに届くことができなくなる（或いは、非常に低い信号レベルで届くことになる）。さらに、干渉ビーム１１１（ネットワークノード１２０からで建物１３１で反射）及び１１２（ネットワークノード１２１から）が、位置１００ｂにおいて無線通信デバイスにより高い信号レベルで受信され、低い信号対干渉比をもたらす。
【００１７】
コーナー付近の移動プロセスは速いため、ビーム１１０の信号電力（及び、信号対干渉比）は、非常に早く落ち込み、無線通信デバイスとネットワークとのコネクションは、上述した様に失われ得る。
【００１８】
この様に、ビームフォーミングを使用するセルラ通信システムにおいて、モビリティの改良された（又は、少なとも代わりに使用できる）アプローチが必要である。
【課題を解決するための手段】
【００１９】
本明細書において使用される用語"備える／含む"は、述べられた特徴、整数、ステップ、又は、コンポーネントの存在を特定するが、１つ以上の他の特徴、整数、ステップ、コンポーネント、又は、それらのグループの存在、或いは、追加を除外するものではないことが強調されるべきである。
【００２０】
本発明者は、無線通信デバイスとネットワークとの間のコネクションを失う危険性を低くするため、サービングビームとは異なるビームを使用することで、測定報告が無線通信デバイスにより送信され、ネットワークノードで受信され得ることを認識した。
【００２１】
第１態様によると、これは、セルラ通信ネットワークのネットワークノードでの方法により実現される。セルラ通信ネットワークのネットワークノード及び少なくとも幾つかの他のネットワークノードは、それぞれ、信号ビームフォーミング法の複数のビームをサポートし、複数のビームの少なくとも１つ（サービングビーム）を使用することで無線通信デバイスと通信する様に構成される。
【００２２】
方法は、１つ以上の候補ビームを特定することと、候補ビームのそれぞれで基準信号の送信を行わせることと、を含んでいる。
【００２３】
方法は、候補ビームの少なくとも１つの上りリンクリソースの予約を行わせることと（ここで、上りリンクリソースは無線通信デバイスからの報告を伝達するめであり、報告は、基準信号の測定結果を表示する）、ターゲットビームを使用して無線通信デバイスとの通信を行わせることと、を含み、候補ビームの１つは、伝達された報告に基づきターゲットビームとして選択される。
【００２４】
信号ビームフォーミング法は、例えば、ＭＩＭＯ（多入力多出力）法、マッシブＭＩＭＯ法、或いは、狭いビームを使用する任意のビームフォーミング法であり得る。狭いビームを使用するビームフォーミング法は、例えば、ネットワークノードが、異なる方向の少なくとも５０、１００又は２００ビームをサポートするビームフォーミング法として定義され得る。
【００２５】
セルラ通信ネットワークのネットワークノードそれぞれが信号ビームフォーミング法の複数のビームをサポートし、複数のビームの少なくとも１つを使用して無線通信デバイスと通信する様に構成される場合は、本開示において限定しない例として使用される。
【００２６】
複数のビームの少なくとも１つを使用しての無線通信デバイスとの通信は、複数のビームの１つ以上を使用することを含み得る。本開示において、複数のビームの１つを使用する無線通信デバイスとの通信は、限定しない例として使用される。
【００２７】
候補ビームの特定は、例えば、背景セクションで述べたデータベースを使用することで達成され得る。
【００２８】
候補ビームの少なくとも１つの上りリンクリソースの予約は、候補ビームそれぞれの上りリンクリソースの予約を含み得る。より一般的には、候補ビームの少なくとの１つの上りリンクリソースの予約は、候補ビームの上りリンクリソースの予約を含み、候補ビームの数は、１と特定された候補ビームの数との間の任意の数であり得る。本開示において、候補ビームそれぞれの上りリンクリソースの予約は、限定しない例として使用される。
【００２９】
ターゲットビームを使用して無線通信デバイスとの通信を行わせることは、ビーム切替を行わせることを含み得る（それは、他のネットワークノードへのハンドオーバを含み得る、或いは、含み得る。）。ビーム切替（ハンドオーバを含む可能性がある）は、サービングビームをサポートするネットワークノードにより制御される、或いは、ターゲットビームをサポートするネットワークノードにより制御される、或いは、（より一般的な場合）候補ビームのいずれかをサポートするネットワークノードにより制御される。
【００３０】
候補ビームの１つのターゲットビームとしての選択は、サービングビームをサポートするネットワークノードによって実行され、或いは、ターゲットビームをサポートするネットワークノードによって実行され、或いは、（より一般的な場合）候補ビームのいずれかをサポートしているネットワークノード（典型的には、無線通信デバイスからの報告を受信するネットワークノード）によって実行され得る。
【００３１】
幾つかの実施形態において、方法は、さらに、信号品質の減少を検出することを含み得る。信号品質の減少は、任意の適切な方法、例えば、上りリンク測定（例えば、信号対干渉比の低下、又は、信号対干渉比が閾値を下回る）により、或いは、無線通信デバイスからのチャネル品質報告（例えば、チャネル品質インディケーション（ＣＱＩ）、又は、チャネル状態情報（ＣＳＩ））により検出され得る。
【００３２】
追加して、或いは、代わりに、幾つかの実施形態によると、方法は、さらに、無線通信デバイス位置での信号対干渉比が信号対干渉比閾値を下回っていることを示している信号環境統計値を検出することを含む。統計値は、例えば、背景セクションで述べたデータベースを使用することで獲得され得る。
【００３３】
追加して、或いは、代わりに、幾つかの実施形態によると、方法は、さらに、モビリティ手順の失敗を検出することを含む。モビリティ手順の失敗を検出することは、例えば、期待される信号を検出しないこと（例えば、モビリティ手順のメッセージ又は肯定確認メッセージ）と、同期外れ又は無線リンク断を検出することを含み得る。
【００３４】
幾つかの実施形態によると、少なくとも上りリンクリソースの予約を行わせることは、減少した信号品質、信号対干渉比が信号対干渉比閾値を下回っていることを示す信号環境統計値、モビリティ手順の失敗のいずれか、或いは、それらの組み合わせ（可能である場合）を検出することに応答して実行され得る。幾つかの実施形態において、１つ以上の候補ビームを特定することと、候補ビームのそれぞれで基準信号の送信を行わせることとのいずれか、或いは、両方は、それらに応答して実行され得る。
【００３５】
幾つかの実施形態において、方法は、上りリンクリソースの予約に関する表示の無線通信デバイスへの送信を行わせることをさらに含み得る。
【００３６】
幾つかの実施形態において、上りリンクリソースの予約に関する表示は、基準信号の送信を介して無線通信デバイスに（暗示的に）提供される。幾つかの実施形態において、基準信号の送信は、報告を伝達するための適切な上りリンクリソースが行われたときのみ、行われる。
【００３７】
幾つかの例において、基準信号は、グループに構成され、グループ識別子は、報告が伝達されるべきネットワークノードを暗示している。
【００３８】
幾つかの実施形態によると、候補ビームの１つのターゲットビームとしての選択は、予約された上りリンクリソースにおいて、報告が伝達される候補ビームの１つの選択を含む。
【００３９】
ネットワークノードによりサポートされる候補ビームについて、候補ビームで基準信号の送信を行わせることは、基準信号を送信することを含み、候補ビームの上りリンクリソースの予約を行わせることは、上りリンクリソースを予約することを含み得る。
【００４０】
他の候補ビームをサポートするネットワークノードによりサポートされる候補ビームについて、候補ビームで基準信号の送信を行わせることは、候補ビームをサポートするネットワークノードに基準信号要求を送信することを含み、候補ビームの上りリンクリソースの予約を行わせることは、候補ビームをサポートするネットワークノードに上りリンクリソース要求を送信することを含み得る。
【００４１】
幾つかの実施形態において、ターゲットビームを使用して無線通信デバイスとの通信を行わせることは、無線通信デバイスに向けてビーム切替コマンドの送信を行わせることを含む。
【００４２】
無線通信デバイスに向けてビーム切替コマンドの送信を行わせることは、例えば、無線通信デバイスにビーム切替コマンドを送信することを含み得る（例えば、ターゲットビームがネットワークノードによりサポートされている場合）。
【００４３】
ターゲットビームが、他のターゲットビームをサポートするネットワークノードによりサポートされている場合、無線通信デバイスに向けてビーム切替コマンドの送信を行わせることは、例えば、ターゲットビームをサポートするネットワークノードへの無線通信デバイスのハンドオーバを実行することを含み得る。
【００４４】
幾つかの実施形態によると、ターゲットビームをサポートするネットワークノードへの無線通信デバイスのハンドオーバを実行することは、ハンドオーバコマンドを、無線通信デバイスに向けてターゲットビームをサポートするネットワークノードに送信させることを含み得る。ハンドオーバコマンドは、ビーム切替コマンドであり、ビーム切替コマンドは、どのビームがターゲットビームであるかの表示を含み得る。
【００４５】
第２態様は、セルラ通信ネットワークのネットワークノードと通信する様に構成された無線通信デバイスでの方法であり、セルラ通信ネットワークのネットワークノード及び少なくとも幾つかの他のノードは、それぞれ、信号ビームフォーミング法の複数のビームをサポートし、複数のビームの少なくとも１つを使用することで無線通信デバイスと通信する様に構成される。
【００４６】
方法は、１つ以上の特定された候補ビームのそれぞれで受信した基準信号の測定を実行することと（ここで、１つ以上の特定された候補ビームの少なくとも１つは、無線通信デバイスからの報告を伝達するために予約された上りリンクリソースを有する）、予約された上りリンクリソースの１つで報告を送信することと、を含み、報告は、測定結果を示し、報告は、候補ビームの１つのターゲットビームとしての選択のためであり、ターゲットビームは、セルラ通信ネットワークとの通信での使用のためである。
【００４７】
幾つかの実施形態において、報告は、候補ビームの予約された上りリンクリソースで送信され、候補ビームは、サービングビームとは異なる他のビームである。
【００４８】
幾つかの実施形態によると、基準信号は、さらに、同期及び／又は報告の送信タイミングを判定するために使用され得る。
【００４９】
幾つかの実施形態において、第２態様の方法は、第１態様による方法を実行するネットワークノードに関連する無線通信デバイスにより実行される。
【００５０】
幾つかの実施形態において、第２態様による方法は、上りリンクリソースの予約に関する表示をセルラ通信ネットワークから受信することを含む。
【００５１】
幾つかの実施形態において、第２態様による方法は、基準信号に関する情報（例えば、タイミング及び／又はコンテンツ）をセルラ通信ネットワークから受信することと、それに応答して測定を実行することと、を含む。
【００５２】
幾つかの実施形態において、第２態様による方法は、モビリティ手順の失敗を検出することを含む。モビリティ手順の失敗を検出することは、例えば、期待される信号を検出しないこと（例えば、モビリティ手順のメッセージ又は肯定確認メッセージ）と、同期外れ又は無線リンク断を検出することを含み得る。測定は、その様な検出に応答して実行され得る（候補ビームの基準信号に関してブラインドで、或いは、候補ビームの基準信号に関する最も新しい情報に基づき）。
【００５３】
幾つかの実施形態によると、報告は、ターゲットビームとして選択された候補ビームの予約された上りリンクリソースで送信される。
【００５４】
幾つかの実施形態によると、方法は、セルラ通信ネットワークからビーム切替コマンドを受信することを含む。幾つかの実施形態において、ビーム切替コマンドは、ハンドオーバコマンドを含み得る（ターゲットビームがサービングビームをサポートするネットワークノードとは異なるネットワークノード、つまり、ターゲットビームをサポートするネットワークノードによりサポートされる場合）。
【００５５】
第３態様は、プログラム命令を含むコンピュータプログラムを有する、コンピュータ可読記憶媒体を有するコンピュータプログラム製品である。コンピュータプログラムは、データ処理ユニットにロード可能であり、データ処理ユニットによりコンピュータプログラムが実行されると、第１態様及び第２態様による方法の実行を行わせる様に構成されている。
【００５６】
第４態様は、セルラ通信ネットワークのネットワークノードのための装置であり、セルラ通信ネットワークのネットワークノード及び少なくとも幾つかの他のノードは、それぞれ、信号ビームフォーミング法の複数のビームをサポートし、複数のビームの少なくとも１つを使用することで無線通信デバイスと通信する様に構成される。
【００５７】
装置は、コントローラを有し、コントローラは、1つ以上の候補ビームの特定と、候補ビームのそれぞれでの基準信号の送信と、候補ビームの少なくとも１つの上りリンクリソースの予約と（ここで、上りリンクリソースは無線通信デバイスからの報告を伝達するためであり、報告は、基準信号の測定結果を表示する）、ターゲットビームを使用して無線通信デバイスとの通信と（ここで、候補ビームの１つは、伝達された報告に基づきターゲットビームとして選択される）、を行わせる様に構成される。
【００５８】
第４態様は、さらに、上記第１態様で述べた種々の特徴のいずれかに対応する、或いは、同じ特徴を有し得る。
【００５９】
第５態様は、第４態様による装置を含むセルラ通信ネットワークのネットワークノードである。
【００６０】
第６態様は、セルラ通信ネットワークのネットワークノードと通信する様に構成された無線通信デバイスのための装置であり、セルラ通信ネットワークのネットワークノード及び少なくとも幾つかの他のノードは、それぞれ、信号ビームフォーミング法の複数のビームをサポートし、複数のビームの少なくとも１つを使用することで無線通信デバイスと通信する様に構成される。
【００６１】
装置は、コントローラを含み、コントローラは、１つ以上の特定された候補ビームのそれぞれで受信される基準信号の測定の実行と（ここで、１つ以上の特定された候補ビームの少なくとも１つは、無線通信デバイスからの報告を伝達するために予約された上りリンクリソースを有する）、予約された上りリンクリソースの１つで報告の送信と、を行わせる様に構成され、報告は、測定結果を示す（ここで、報告は、候補ビームの１つのターゲットビームとしての選択のためであり、ターゲットビームは、セルラ通信ネットワークとの通信での使用のためである。）。
【００６２】
第６態様は、さらに、上記第２態様で述べた種々の特徴のいずれかに対応する、或いは、同じ特徴を有し得る。
【００６３】
第７態様は、第６態様による装置を含む無線通信デバイスである。
【００６４】
第８態様は、セルラ通信ネットワークのネットワークノードでの方法である。セルラ通信ネットワークのネットワークノード及び少なくとも幾つかの他のネットワークノードは、それぞれ、信号ビームフォーミング法の複数のビームをサポートし、複数のビームの少なくとも１つ（サービングビーム）を使用することで無線通信デバイスと通信する様に構成される。
【００６５】
方法は、１つ以上の候補ビームを特定することと、候補ビームのそれぞれで基準信号の送信を行わせることと、ターゲットビームを使用して無線通信デバイスとの通信を行わせることと、を含み、候補ビームの１つが、無線通信デバイスからの報告に基づきターゲットビームとして選択され、報告は、基準信号の測定結果を示している。
【００６６】
ターゲットビームを使用して無線通信デバイスとの通信を行わせることは、ターゲットビーム上で、無線通信デバイスに向けてビーム切替コマンドの送信を行わせることを含む。
【００６７】
無線通信デバイスに向けてビーム切替コマンドの送信を行わせることは、ターゲットビームがネットワークノードによりサポートされている場合、無線通信デバイスにビーム切替コマンドを送信することを含み得る。
【００６８】
無線通信デバイスに向けてビーム切替コマンドの送信を行わせることは、ターゲットビームが、他のターゲットビームをサポートするネットワークノードによりサポートされている場合、ターゲットビームをサポートするネットワークノードへの無線通信デバイスのハンドオーバを実行することを含み得る。
【００６９】
幾つかの実施形態によると、ターゲットビームをサポートするネットワークノードへの無線通信デバイスのハンドオーバを実行することは、ハンドオーバコマンドを、無線通信デバイスに向けて、ターゲットビームをサポートするネットワークノードに送信させることを含み得る。ハンドオーバコマンドはビーム切替コマンドであり、ビーム切替コマンドは、どのビームがターゲットビームであるかの表示を含み得る。
【００７０】
他の態様は、第８態様に対応する、或いは、同じ特徴を有する、コンピュータプログラム製品、装置、ネットワークノードである。
【００７１】
幾つかの実施形態によると、上記態様の総ては、さらに、他の態様のいずれかで述べた種々の特徴の総てに対応する、或いは、同じ特徴を適切に有し得る。
【００７２】
幾つかの実施形態の利点は、ビーム切替（或いは、モビリティ手順の任意の他の適切な部分）を完了させる可能性が改良されることである。
【００７３】
さらなる目的、特徴及び利点は、以下の、図面を参照して行う実施形態の詳細な記述により明らかになる。
【図面の簡単な説明】
【００７４】
【図１】幾つかの実施形態が適用可能な例示的なシナリオを示す図。
【図２】幾つかの実施形態による例示的なシグナリング及び方法ステップを示す信号図。
【図３】幾つかの実施形態による例示的な方法ステップを示すフローチャート。
【図４】幾つかの実施形態による例示的な装置を示すブロック図。
【図５】幾つかの実施形態による例示的な装置を示すブロック図。
【図６】幾つかの実施形態によるコンピュータ可読記憶媒体を示す図。
【発明を実施するための形態】
【００７５】
以下では、ビームフォーミングシステムが、実行されるモビリティ手順を可能にするため、モビリティ手順の測定報告が、サービングビームとは異なるビーム（典型的にはターゲットビームと見込まれるビーム）で、無線通信デバイスからネットワークに送信され得るアプローチを適用する実施形態について説明する。
【００７６】
これは、サービングビームの信号対干渉比（ＳＩＲ)が劇的に落ち込み、信号対干渉比が劣化してサービングビームを介しての信頼できる通信が可能でなくなる前にモビリティ手順を実行するのに十分な時間がない場合に特に有用である。この様に、アプローチは、大変早いリンク回復処理とみなされ得る。
【００７７】
図２は、サービングビームをサポートするネットワークノード（ＮＷＭ１、図１のネットワークノード１２０と比較）２００、無線通信デバイス（ＷＣＤ、図１の通信デバイス１００a、１００ｂと比較）２４０及び他のネットワークノード（ＮＷＮ２、図１のネットワークノード１２１と比較）２２０の例示的なシグナリング及び方法ステップを示している。
【００７８】
ネットワークノード２００から無線通信デバイス２４０へのサービングビームを介したデータの送信中、無線通信デバイス２４０は、信号品質表示をネットワークノード２００に送信し得る。信号品質表示は、通常通り（例えば、ＣＱＩ、ＣＳＩ等）、及び／又は、無線通信デバイスが信号品質の低下／減少を検出したとき（例えば、ＳＩＲが閾値を下回る、期待したメッセージ、例えば、ＡＣＫ／ＮＡＣＫが受信されない、受信データを復号できない等）に送信され得る。
【００７９】
ネットワークノード２００が低下した／低い信号品質を検出すると（例えば、ＳＩＲ測定、受信ＣＳＩ、受信ＣＱＩ等に基づき）、或いは、無線通信デバイス２４０が低下した／低い信号品質を検出したことの表示をネットワークノード２００が受信すると、ネットワークノード２００は、ステップ２０２で、モビリティ手順を開始する。
【００８０】
モビリティ手順の実行は、図２において、ステップ２０４の候補ビームのネットワークノード２００による（例えば、上述したデータベースからの）選択で表現され、各候補ビームのそれぞれでＭＲＳ（モビリティ基準信号）をアクティベイトし（候補ビームをサポートする他のネットワークノードにＭＲＳシグナリング２３０の要求を送信することを含み得る）、候補ビームによりＭＲＳシグナリング２３１、２３２を行い、無線通信デバイスの測定構成２３４を行い、ステップ２０６での無線通信デバイス２４０によるＭＲＳ測定、サービングビームをサポートしているネットワークノード２５０へのＭＲＳ測定結果２３５の報告、ステップ２０８でのターゲットビームの選択を含むサービングビーム２００をサポートしているネットワークノードによるビーム切替決定の実行、適用可能である場合のビーム切替２１０の実行を含む（どのネットワークノードが、ビーム切替のターゲットビームをサポートしているかに応じて他のネットワークノードへのハンドオーバを含み得る。）。ここで開示するモビリティ手順の実行と比較される多くのバリエーションが想定され得る。例えば、他のステップ及び／又は信号も存在し得る（例えば、測定構成２３４、ＭＲＳ要求２３０、報告２３５、ビーム切替／ハンドオーバに関するシグナリング等の肯定応答）。
【００８１】
上述した様に、図１は、突然のシャドウイング効果（図１の例においてはコーナー付近の移動）により信号対干渉比が急激に落ち込んだ場合のシナリオを示している。これが、モビリティ手順（例えば、図２で述べた）の実行中に生じると、信号対干渉比が劣化し、サービングビームを介した信頼できる通信が可能でなくなる（例えば、無線リンク断、ＲＬＦ）前にモビリティ手順を実行する十分な時間がなくなり得る。例えば、ビーム切替コマンドが（無線通信デバイスに）送信され確認される前にコネクションが失われるかもしれず、報告２３５が（無線通信デバイスにより）送信され確認される前にネクションが失われるかもしれず、無線通信デバイスの測定構成前で、それが確認される前等にコネクションが失われるかもしれない。
【００８２】
よって、幾つかの実施形態によると、（測定報告２３５を伝達するための）上りリンクリソースが、ステップ２０５に示す様に、候補ビームの総て又は幾つかにおいて予約される。ステップ２０５は、サービングネットワークノード２００、及び／又は、他のネットワークノード２２０（例えば、候補ビームをサポートするネットワークノード、又は、スケジューラを含む別のネットワークノード）により実行され得る。予約された上りリンクリソースに関する情報は、無線通信デバイス２４０に通信され得る（例えば、測定構成２３４、ＭＲＳシグナリング２３１、２３２、又は、個別のメッセージで）。ＭＲＳ測定の報告は、予約された上りリンクリソースの１つ以上で送信され得る。この様に、予約された上りリンクリソースを有する候補ビームが、サービングノード２００によりサポートされているか、他のネットワークノード２００によりサポートされているかに応じて、報告は、２３５により示す様に、サービングノードに送信される、或いは、２３６により示す様に、他のネットワークノードに送信され得る。ステップ２１０のビーム切替コマンドは、候補ビームの１つを使用すること（例えば、ターゲットビーム）で、無線通信デバイスに送信され得る。
【００８３】
図３は、幾つかの実施形態による例示的な方法３００を示している。方法３００は、セルラ通信ネットワークのネットワークノード（例えば、図１のネットワークノード１２０及び／又は図２のネットワークノード２００）のためであり、セルラ通信ネットワークのネットワークノードは、それぞれ、信号ビームフォーミング法の複数のビームをサポートし、複数のビームの１つを使用することで無線通信デバイス（例えば、図１の無線通信デバイス１００ａ、１００ｂ及び／又は図２の無線通信デバイス２４０）と通信する様に構成される。
【００８４】
ステップ３１０で、サービングビームの損失（又は、その危険性）が検出される。検出は、例えば、現在進行中のモビリティ手順により期待されるメッセージを受信しないこと（図２のモビリティ手順と比較）、及び／又は、信号品質の減少／低下の検出（例えば、上りリンク信号対干渉比（ＳＩＲ）測定、無線通信デバイスから受信されるＣＱＩ（チャネル品質インジケータ）又はＣＳＩ（チャネル状態情報）の様な品質表示、無線通信デバイスからの復号問題の通知等）を含み得る。代わりに、或いは、追加して、ステップ３１０の検出は、無線通信デバイスの現在位置でのＳＩＲ及び／又はＲＬＦに関する統計値（例えば、上述したデータベースから）に基づき得る。
【００８５】
ステップ３２０で、モビリティ手順のための１つ以上の候補ビームが特定され（図２のステップ２０４と比較）、それらの上で基準信号が送信される（図２のステップ２３０、２３１、２３２と比較）。
【００８６】
幾つかの実施形態において、ステップ３２０及び３３０の１つ以上は、ステップ３１０の前に実行され得る。
【００８７】
スッテプ３１０で、サービングビームの損失（又は、その危険性）が検出されると、ステップ３４０で示す様に、候補ビームのそれぞれで上りリンクリソースが予約される（図２のステップ２０５と比較）。ステップ３４０は、幾つかの実施形態において、ステップ３３０の前に実行され得る。
【００８８】
ステップ３５０によると、予約された上りリンクリソースの表示は、無線通信デバイスに伝達され（例えば、基準シグナリングの部分として）、或いは、無線通信デバイスに暗示することができる。
【００８９】
無線通信デバイスは、基準信号の測定を実行し（図２のステップ２０６と比較）、測定報告をネットワークに送信する（図２のステップ２３５、２３６と比較）。サービングビームのリンクは失われている（或いは、非常に弱い）ので、報告は、予約された上りリンクリソースの１つ以上を使用して送信される。典型的には、最も良い測定結果を示す候補ビームの上りリンクリソースが、報告の送信に使用され得る。
【００９０】
報告がネットワークによりサポートされているビームで送信されると、報告はネットワークが直接受信し、そうではないと、報告又はそのコンテンツの表示は、報告が送信さされたビームをサポートする他のネットワークノードから受信され得る。
【００９１】
適用可能であると、最も良いビーム（報告に基づき候補ビームから選択されたターゲットビーム）へのビーム切替がステップ３７０で実行される（図２のステップ２０８、２１０と比較）。
【００９２】
ステップ３３０及び３４０は、方法２００を実行するネットワークノードによりサポートされる候補ビームと、他のネットワークノードによりサポートされる候補ビームにおいて少し異なり得る。第１の場合、ネットワークノードは、単に、上りリンクリソースを予約し、候補ビームで基準信号を送信する。第２の場合、上りリンクリソースの予約及び基準信号の送信は、サービングネットワークノードと候補ビームをサポートするネットワークノードとの間のシグナリングを含む（例えば、上りリンクリソースを予約し、他のネットワークノードからの基準信号及びその肯定応答を送信させるための命令／要求）。
【００９３】
ビーム切替決定及び／又はビーム切替制御（例えば、ビーム切替（ハンドオーバを含み得る）コマンドの無線通信デバイスへの送信）は、サービングネットワークノード又は他のネットワークノードにより実行され得る。
【００９４】
測定報告がサービングネットワークノードによりサポートされるビームで受信される場合、ビーム切替決定は、典型的には、サービングネットワークノードにより行われる。一方、測定報告が、サービングネットワークノードとは異なる他のネットワークノードによりサポートされるビームで受信される場合、ビーム切替決定は、そのネットワークノード、又は、サービングネットワークノードにより行われる（サービングネットワークノードに測定報告のコンテンツを伝達した後）。
【００９５】
ビーム切替コマンドは、典型的には、ターゲットビームを使用して送信される。ターゲットビーム（又は、より一般的には、ビーム切替コマンドに使用されるビーム）が、ビーム切替決定を行うネットワークノードとは異なる他のネットワークノード上にあると、含まれる２つのネットワークノード間での適切なシグナリングが暗示される。
【００９６】
通常、ビーム切替は、無線通信デバイスを明示的に含むことなく実行され得る、つまり、無線通信デバイスにビーム切替コマンドを全く送信すること無しに行われ得る。
【００９７】
また、通常、タイマ機能が、測定プロセスの完了後、実行され（例えば、ステップ３５０又は３６０の後）、それは、測定に基づき適切なターゲットビームが発見されない場合に適用され得る。その様なタイマ機能は、通常、ネットワークと無線通信デバイスの両者に公知である、関連する最大時間を有し得る。適切なターゲットビームの探索は、最大時間が経過するまで続けられ、その後、無線リンク断が生じる。
【００９８】
図４及び５は、セルラ通信ネットワークのネットワークノード（例えば、図１のネットワーク１２０）のための例示的な装置を示し、セルラ通信ネットワークのネットワークノードは、それぞれ、信号ビームフォーミング法の複数のビームをサポートし、複数のビームの１つを使用することで無線通信デバイス（例えば、図１の無線通信デバイス１００ａ、１００ｂ）と通信する様に構成される。図４及び５の装置は、例えば、図３に関して説明した様々な方法ステップを実行（又は、少なくとも実行を行わせる）様に構成され得る。
【００９９】
図４の装置は、適切な信号の送受信のための送受信機（ＲＸ／ＴＸ）４１０に動作可能に接続されるコントローラ（ＣＮＴＲ）４００を含み、送受信機は、装置に含まれ得る、或いは、含まれない。
【０１００】
図５は、図４のコントローラ４００の実装形態であり得る、或いは、実装形態ではない、例示的なコントローラ（ＣＮＴＲ）５００を示している。
【０１０１】
コントローラ５００は、モビリティ手順を開始し、かつ、制御する様に構成されたモビリティマネージャ（ＭＭ）５２０を備え得る。
【０１０２】
コントローラ４００、５００は、サービングビームでサポートされるコネクションの損失（の危険性）を検出する様に構成される（図３のステップ３１０と比較）。
【０１０３】
コントローラ５００は、通信リンクの信号品質を監視する様に構成された品質モニタ（Ｑ  ＭＯＮ）５５０を含み、コネクションを失う危険性の検出は、信号品質の減少（又は、低下）の検出を含み得る。
【０１０４】
代わりに、或いは、追加して、コントローラ５００は、上述した情報を有するデータベース（ＤＢ）５１５と関連付けられ得る。データベースの情報は、上述した様に、コネクションの損失（又はその危険性）を検出するために使用され得る。
【０１０５】
さらに、代わりに、或いは、追加して、モビリティマネージャ５２０は、現在進行しているモビリティ手順により期待される信号の不足を検出することにより、コネクションの損失を検出する様に構成され得る。
【０１０６】
コントローラ４００、５００は、１つ以上の候補ビームの特定を行わせる様にも構成される（図３のステップ３２０と比較）。例えば、コントローラ４００、５００は、候補ビームを特定する様に構成され得る。最後に、コントローラ５００は、候補ビームを特定する様に構成されたビームセレクタ（ＢＥＡＭ  ＳＥＬ）５３０を備え得る。コントローラ４００、５００は、候補ビームのそれぞれで基準信号の送信を行わせる（例えば、送信する）様にも構成される（図３のステップ３３０と比較）。
【０１０７】
上述した様に、候補ビームは、データベース（ＤＢ）５１５により提供され得る。データベースは、ネットワークノードに含まれ、或いは、ネットワークノードに関連付けられる。例えば、データベースは、セルラ通信システムのネットワークノードの幾つか、又は、総てにより共有される、クラウドベースのサービスであり得る。
【０１０８】
コントローラ４００、５００は、上述した様に、候補ビームそれぞれの上りリンクリソースの予約を行わせる様にも構成される（図３のステップ３４０と比較）。最後に、コントローラ５００は、サービングネットワークノードによりサポートされる候補ビームの上りリンクリソースを予約する様に構成されるスケジューラ（ＳＣＨ）５４０を含み得る。
【０１０９】
コントローラ４００、５００は、ターゲットビームを使用して無線通信デバイスとの通信を行わせる様にもさらに構成され（図３のステップ３７０と比較）、候補ビームの１つは、上述した様に、伝達された報告に基づき、ターゲットビームとして選択される。
【０１１０】
上述した様に、セルラ通信ネットワークのネットワークノードと通信する様に構成された無線通信デバイスのための装置も、コントローラを含み得る。コントローラは、無線通信デバイスに、１つ以上の特定された候補ビームのそれぞれで受信される基準信号の測定を実行させ、候補ビームの１つの予約された上りリンクリソースで、測定結果を示す報告を送信させる。
【０１１１】
上記実施形態の異なるバリエーションの幾つかの例をいかに述べる。
【０１１２】
アクティブモードにおいて、無線通信デバイスは、制御情報及びデータ情報を連続して受信して復号し、コネクションのＳＩＲを推定する。モビリティ手順の部分として、ネットワークは、無線通信デバイスに測定する候補ビームを提供する。無線通信デバイスは、例えば、制御信号が復号できない、或いは、推定したＳＩＲが閾値を下回っていると、サービングビームを介するコネクションが失われていることを検出し得る。ネットワークは、例えば、無線通信デバイスがそれを報告した場合（下りリンクが悪いことのみを提供）、或いは、上りリンク送信の復号に成功できない場合、サービングビームを介するコネクションが失われていることを検出し得る。
【０１１３】
図２及び関連する記載に示す様に、幾つかのメッセージは、サービングビームをサポートするネットワークノードから無線通信デバイスへ、及び、その逆方向に送信される必要がある。サービング無線リンクが、突然、断になると、メッセージのシーケンスは、種々のポイントで中断され得る。例えば、
１．サービングノードが測定構成２３４の肯定応答を受信しない。これは、測定構成が無線通信デバイスにより受信されていない、或いは、肯定応答が無線通信デバイスにより送信されたが受信されない、ことをサービングノードに暗示させる。
２．測定報告２３５がサービングノードにより受信されない。この場合、サービングノードは、候補ビームの品質が分からない。
３．無線通信デバイスが、測定報告２３５の肯定応答を受信しない。この場合、無線通信デバイスは、候補ビームの品質を知っているが、無線通信デバイスにとっては、サービングノードがこの情報を受信したかが明らかではない。
４．サービングノードが、ハンドオーバ（又は、ビーム切替）コマンドの肯定応答を無線通信デバイスから受信しない。これは、無線通信デバイスがハンドオーバコマンドを受信していない、或いは、肯定応答が無線通信デバイスにより送信されたが、受信されないことを、サービングノードに暗示させ得る。この場合、無線通信デバイスは、どのビームに切り替えるべきか、或いは、どの無線リソースを使用するべきかが分からない。
【０１１４】
上記実施形態のアプリケーションがないと、上記イベントのいずれかが生じると、無線通信デバイスは、典型的には、コネクションを回復させるため、通常のランダムアクセス手順を実行しなければならない。その様な、ランダムアクセス手順は、典型的には、時間を多く消費し、これらの環境では望ましくない。
【０１１５】
上記イベントのいずれか生じると、モビリティ手順は中断されるので、サービングノードから無線通信デバイスへと、その逆方向に、総てのメッセージは送信され得ない。この様に、情報を利用可能にする必要がある。
【０１１６】
プロセスが中断されると、サービングノードにより以下のステップの1つ以上が適用され得る。
−候補ビームでのＭＲＳの再送要求（図３のステップ３３０と比較）
−測定報告のために候補ビームの上りリンクリソースの予約（図３のステップ３４０と比較）
−オプションとして、予約されたリソースの表示をＭＲＳで無線通信デバイスに送信（図３のステップ３５０と比較）。
−測定報告を受信すると、ターゲットビームでビーム切替コマンドを送信
【０１１７】
中断が上述したイベント１又は２によるものであると、上記ステップは、総ての候補ビームにおいて実行され、中断が上述したイベント３によるものであると、上記ステップは、総ての、幾つかの、或いは、１つの候補ビーム（典型的には、報告により最も強いと示されている）において実行され、中断が上述したイベント４によるものであると、上記ステップ（又は、少なくとも最後のステップ）は、総ての、幾つかの、或いは、１つの候補ビーム（典型的には、選択されたビームのみ）において実行され得る。
【０１１８】
プロセスが中断されると、無線通信デバイスにより以下のステップの１つ以上が適用され得る。
―候補ビームで測定を実行（又は、再実行）
−候補ビームの１つ（典型的には最も強い）のＭＲＳで示された上りリンクリソースで報告を送信
−候補ビームでビーム切替コマンドをリッスン
【０１１９】
中断が上述したイベント１によるものであると、測定はブラインドで、或いは、無線通信デバイスで利用可能な最近の候補ビームリストを使用して実行され得る。中断が上述したイベント２又は３によるものであると、測定は、以前の測定による最も強い候補ビームから開始して実行され得る。中断が上述したイベント４によるものであると、測定は、以前の測定による最も強い候補ビームから開始して実行され得る（とにかく実行する場合）。
【０１２０】
記述した実施形態及びその等価物は、ソフトウェア、ハードウェア、または、それらの組み合わせで実現され得る。それらは、デジタル信号プロセッサ（ＤＳＰ）、中央処理ユニット（ＣＰＵ），コプロセッサユニット、フィールドプログラマブルゲートアレイ（ＦＰＧＡ）又は他のプログラム可能なハードウェアの様な、一般目的の回路により実行され、或いは、アプリケーション特定集積回路（ＡＳＩＣ）の様な特定の回路により実行され得る。その様なすべての形態は、本開示の範囲内と考えられる。
【０１２１】
実施形態は、上記実施形態による方法を実行する回路／ロジックを含む、電子装置（無線通信デバイス又はネットワークノードの様な）内に見いだせる。電子装置は、例えば、無線通信装置、無線電話、基地局、基地局コントローラ、コミュニケータ、電子オーガナイザ、スマートフォン、コンピュータ、ノートブック、又は、携帯ゲーム機であり得る。
【０１２２】
幾つかの実施形態によると、コンピュータプログラム製品は、例えば、ＵＳＢステック、プラグインカード、組み込むデバイス、又は、図６でＣＤ−ＲＯＭ６００として示すような読み出し専用メモリ（ＲＯＭ）といった、コンピュータ可読記憶媒体を含む。コンピュータ可読記憶媒体は、プログラム命令を含む、コンピュータプログラムを格納している。コンピュータプログラムは、例えば、無線通信デバイス又はネットワークノード６３０に含まれ得るデータ処理ユニット（ＰＲＯＣ）６１０にロード可能であり得る。データ処理ユニットにロードされると、コンピュータプログラムは、データ処理ユニットに関連付けられた、或いは、組み込まれたメモリ（ＭＥＭ）６２０に格納され得る。幾つかの実施形態によると、コンピュータプログラムは、データ処理ユニットにロードされ、実行されると、データ処理ユニットに、例えば、図２及び３で示す方法による方法ステップを実行させる。
【０１２３】
ここで、参照が、様々な実施形態に対して行われる。しかしながら、当業者は、請求項の範囲内である、上述した実施形態の多くのバリエーションを認識する。例えば、ここで記述した方法の実施形態は、ある順序で実行される方法ステップを通しての例示的な方法を記載する。しかしながら、イベントのこれらシーケンスは、請求項の範囲から逸脱することなく他の順序に置き換えることができる。さらに、幾つかの方法ステップは、ここでは順に実行されるとしたが、並行して実行され得る。
【０１２４】
同様に、本実施形態の記述における機能ブロックの特定ユニットへの分割は、限定するものではない。反対に、これら分割は単なる例である。ここで１つのユニットとして記述した機能ブロックは、２つ以上のユニットに分離され得る。同様に、ここで２つ以上のユニットとして記述した機能ブロックは、請求項の範囲から逸脱することなく、単一ユニットとして実装され得る。
【０１２５】
よって、実施形態の詳細な説明は、単なる例示であり、限定するものではないと理解すべきである。代わりに、請求項の範囲内の総てのバリエーションは、範囲内に含まれることが意図される。
【図１】
0006717854.tif 000002
【図２】
0006717854.tif 000003
【図３】
0006717854.tif 000004
【図４】
0006717854.tif 000005
【図５】
0006717854.tif 000006
【図６】
0006717854.tif 000007